(57)【要約】  【課題】  オペレータの好みの位置から好みの風向きを設定できるキャブを提供する。  【解決手段】  キャブ本体14b内の後部定位置に、温度調整した空調風を吹出すリアベント25を上向きに開口設置し、このリアベント25に、可撓性を有する可撓ダクト31の一端の開口部32を挿入する。このリアベント25からキャブ本体14bの後部フレーム33およびルーフ部サイドフレーム34に沿ってキャブ本体14b内の前部まで可撓ダクト31をダクトホルダ35により配設する。  【選択図】図１
2005239005.tif 000002
【特許請求の範囲】
【請求項１】
キャブ本体と、
このキャブ本体の内部の定位置に設置され温度調整された空調風を吹出す空調風吹出口体と、
この空調風吹出口体に両端の開口部の一方が挿入された可撓性を有する可撓ダクトと、
この可撓ダクトをキャブ本体内に沿って配設するダクトホルダと
を具備したことを特徴とするキャブ。
【請求項２】
空調風吹出口体は、キャブ本体内の後部で上向きに開口された複数のリアベントの一部であり、
可撓ダクトは、リアベントからキャブ本体の後部フレームおよびルーフ部サイドフレームに沿ってキャブ本体内の前部まで配設された
ことを特徴とする請求項１記載のキャブ。
【請求項３】
ダクトホルダは、
弾性材によりＣ形に成形されたホルダ本体と、
このホルダ本体の両端間に可撓ダクトの外径より小さく形成されたダクト脱着開口部と
を具備したことを特徴とする請求項１または２記載のキャブ。
【発明の詳細な説明】
【技術分野】
【０００１】
本発明は、空調風吹出方向を容易に変更可能なキャブに関するものである。
【背景技術】
【０００２】
油圧ショベルなどの作業機械に搭載されたキャブの内部では、オペレータ用シートの後方にエアコンユニットが配置され、このエアコンユニットで温度調整された空調風（温冷風）が、背部用ダクトを経て背部上方へ供給され、足元用ダクトを経て足元へ供給され、前面用ダクトを経て前面ガラス、オペレータに向けて供給される。これらの背部用ダクト、足元用ダクトおよび前面用ダクトは定形ダクトであり、それらの空調風吹出口は定まった位置に設置されている（例えば、特許文献１参照）。
【０００３】
これらの空調風吹出口にはルーバが設けられ、このルーバにより限られた範囲内で風向を調整できる（例えば、特許文献２参照）。
【特許文献１】特開２００３−２９１６２９号公報（第６頁、図２）
【特許文献２】特開２００２−１３８５１３号公報（第３−４頁、図１）
【発明の開示】
【発明が解決しようとする課題】
【０００４】
このように、現在は、定まった位置に配置されている吹出口より空調風が吹出されるが、吹出口のルーバによる風向調整には、位置的にも角度的にも限界があり、オペレータの好みの位置から好みの風向きを設定することは難しい。
【０００５】
本発明は、このような点に鑑みなされたもので、空調風の吹出においてオペレータの好みの位置から好みの風向きを設定できるキャブを提供することを目的とするものである。
【課題を解決するための手段】
【０００６】
請求項１記載の発明は、キャブ本体と、このキャブ本体の内部の定位置に設置され温度調整された空調風を吹出す空調風吹出口体と、この空調風吹出口体に両端の開口部の一方が挿入された可撓性を有する可撓ダクトと、この可撓ダクトをキャブ本体内に沿って配設するダクトホルダとを具備したキャブであり、定位置に設置された空調風吹出口体に可撓ダクトの一端の開口部を挿入し、この可撓ダクトをダクトホルダによってキャブ本体内に沿って配設することで、可撓ダクトの他端の開口部をオペレータの好みの位置に設定して、その位置から空調風の吹出において好みの風向きを設定することが可能となる。
【０００７】
請求項２記載の発明は、請求項１記載のキャブにおける空調風吹出口体が、キャブ本体内の後部で上向きに開口された複数のリアベントの一部であり、可撓ダクトは、リアベントからキャブ本体の後部フレームおよびルーフ部サイドフレームに沿ってキャブ本体内の前部まで配設されたものであり、複数のリアベントの余剰機能を有効利用して、一部のリアベントからキャブ本体の後部フレームおよびルーフ部サイドフレームに沿ってキャブ本体内の前部まで可撓ダクトを配設したので、既存のキャブ内においてもオペレータの邪魔にならない空調風供給経路を確保することが可能となり、可撓ダクトにより空調風を任意の場所に導き、オペレータの好みの位置から好みの風向きを設定することが可能となる。
【０００８】
請求項３記載の発明は、請求項１または２記載のキャブにおけるダクトホルダが、弾性材によりＣ形に成形されたホルダ本体と、このホルダ本体の両端間に可撓ダクトの外径より小さく形成されたダクト脱着開口部とを具備したものであり、可撓ダクトの外径より小さく形成されたダクト脱着開口部を、ホルダ本体の弾性に抗して拡開しながら、可撓ダクトをホルダ本体に対して容易に脱着することが可能である。
【発明の効果】
【０００９】
請求項１記載の発明によれば、定位置に設置された空調風吹出口体に可撓ダクトの一端の開口部を挿入し、この可撓ダクトをダクトホルダによってキャブ本体内に沿って配設することで、可撓ダクトの他端の開口部をオペレータの好みの位置に設定して、その位置から空調風の吹出において好みの風向きを設定できる。
【００１０】
請求項２記載の発明によれば、複数のリアベントの余剰機能を有効利用して、一部のリアベントからキャブ本体の後部フレームおよびルーフ部サイドフレームに沿ってキャブ本体内の前部まで可撓ダクトを配設したので、既存のキャブ内においてもオペレータの邪魔にならない空調風供給経路を確保でき、可撓ダクトにより空調風を任意の場所に導き、オペレータの好みの位置から好みの風向きを設定できる。
【００１１】
請求項３記載の発明によれば、可撓ダクトの外径より小さく形成されたダクト脱着開口部を、ホルダ本体の弾性に抗して拡開しながら、可撓ダクトをホルダ本体に対して容易に脱着できる。
【発明を実施するための最良の形態】
【００１２】
以下、本発明を、図１乃至図３に示される一実施の形態を参照しながら詳細に説明する。
【００１３】
図３は、作業機械としての油圧ショベルを示し、下部走行体11に旋回軸受部12を介して上部旋回体13が旋回可能に設けられ、この上部旋回体13の前部一側上にキャブ14が搭載されている。また、上部旋回体13の前部他側上には、掘削作業などをするための作業装置15が搭載され、また、上部旋回体13の後部上には、エンジンおよびこのエンジンにより駆動される油圧ポンプなどの動力装置が搭載され、動力装置カバー16により覆われている。
【００１４】
図１はキャブ14を示し、そのキャブ本体14bの内部には、オペレータ用シート（図示せず）の後背側に位置するエアコンユニット21が設置されている。このエアコンユニット21には、エキスパンションバルブを備えた冷房運転用のエバポレータ、暖房運転用のラジエータ熱交換機または電熱ヒータおよび送風手段が内蔵されている。キャブ14の後方には、エアコンユニット21とともに空調システムを構成するコンプレッサ、コンデンサおよびレシーバ（これらは図示せず）が配置されている。
【００１５】
エアコンユニット21の上側には、中空にブロー成形された樹脂製の物入れ部としてのランチボックス22が設置され、このランチボックス22のシート側には蓋付きの収納凹部23が設けられ、ランチボックス22の上面部には、エアコンユニット21からランチボックス22の背面側に一体成形された定形ダクト（図示せず）を経て供給された空調風を吹出す空調風吹出口体としての複数のリアベント24，25が開口されている。
【００１６】
また、キャブ14内における前窓と右窓との間の隅部には、エアコンユニット21から定形ダクト26を経て温度調整された空調風の供給を受ける立形のダクト部27が配置され、このダクト部27の側面には、前窓や右窓に対して窓ガラスの曇りや凍結を解消するための空調風を吹出す前窓用デフロッサ（図示せず）や右窓用デフロッサ（図示せず）が開口され、さらに、ダクト部27の上部にはオペレータの顔面などに空調風を供給するフェイス用ノズル（図示せず）が開口されている。
【００１７】
このように、キャブ本体14b内の後部定位置に設置されたランチボックス22の上面部には、温度調整された空調風を吹出す空調風吹出口体としての複数のリアベント24，25が上向きに開口されているが、そのうちの円形に形成された一部のリアベント25のルーバ設置穴に、スポットクーラなどで用いられる円形断面の可撓性を有する可撓ダクト31の一端の開口部32が挿入され、この可撓ダクト31が、キャブ本体14bの後部フレーム33の内側およびルーフ部サイドフレーム34の内側に沿って、これらのフレーム33，34に取付けられたダクトホルダ35により固定されて配設され、可撓ダクト31の他端の開口部としての吹出口36が任意の位置で任意の向きに設定されている。
【００１８】
可撓ダクト31を固定するダクトホルダ35は、図２に示されるように、弾性材によりホルダ本体41がＣ形に成形され、このホルダ本体41の両端間にダクト脱着開口部42が可撓ダクト31の外径より小さく形成され、このダクト脱着開口部42に臨んでホルダ本体41の両端部にダクト嵌入案内部43が拡開状に設けられ、また、ホルダ本体41の中央部にこのホルダ本体41をキャブ本体14bのフレーム部材などに固定するための取付部44が突設されている。
【００１９】
次に、この実施の形態の作用効果を説明する。
【００２０】
キャブ本体14b内の後部フレーム33およびルーフ部サイドフレーム34に沿ってダクトホルダ35を所定間隔で取付け、これらのダクトホルダ35にダクト脱着開口部42より可撓ダクト31を嵌着し、この可撓ダクト31の一端の開口部32を、オペレータ後方のランチボックス22の上部に開口されている左右両端位置のリアベント25のルーバ設置穴に挿込むことにより、可撓ダクト31の内部に温冷風を供給し、この可撓ダクト31を経て他端の吹出口36よりオペレータ前方へ温冷風を供給する。
【００２１】
このとき、ダクトホルダ35によってキャブ本体14b側に固定された可撓ダクト31が弛むことはなく、オペレータの好みの場所に吹出口36を設定できる。一方、この可撓ダクト31が必要ないときは、ダクトホルダ35から取外しておくことができる。そのときの可撓ダクト31の取外しもダクト脱着開口部42より容易にできる。
【００２２】
このように、キャブ本体14b内の後部定位置に設置されたランチボックス22の上面部に開口された複数のリアベント24，25のうち、左右両端に位置する円形のリアベント25のルーバ設置穴に、スポットクーラなどで使われる可撓ダクト31の一端の開口部32を挿入し、この可撓ダクト31をダクトホルダ35によってキャブ本体14b内に沿って配設することで、可撓ダクト31の吹出口36をオペレータの好みの位置に設定して、その位置から好みの風向きを設定できる。
【００２３】
特に、上向きに開口された複数のリアベント24，25の余剰機能を有効利用して、一部のリアベント25からキャブ本体14bの後部フレーム33およびルーフ部サイドフレーム34に沿ってキャブ本体14b内の前部まで可撓ダクト31を配設したので、既存構造のキャブ14内においてもオペレータの邪魔にならない空調風供給経路を確保でき、可撓ダクト31により空調風を任意の場所に導き、オペレータの好みの位置から好みの風向きを設定できる。
【００２４】
その際、可撓ダクト31の外径より小さく形成されたダクト脱着開口部42を、ホルダ本体41の弾性に抗して拡開しながら、可撓ダクト31をホルダ本体41に対して容易に脱着できる。
【図面の簡単な説明】
【００２５】
【図１】本発明に係るキャブの一実施の形態を示す斜視図である。
【図２】同上キャブ内に可撓ダクトを固定するためのダクトホルダを示す斜視図である。
【図３】油圧ショベルを示す側面図である。
【符号の説明】
【００２６】
14    キャブ
14b   キャブ本体
25    空調風吹出口体としてのリアベント
31    可撓ダクト
33    後部フレーム
34    ルーフ部サイドフレーム
35    ダクトホルダ
41    ホルダ本体
42    ダクト脱着開口部
【図１】
2005239005.tif 000003
【図２】
2005239005.tif 000004
【図３】
2005239005.tif 000005